(57)【要約】【課題】より使い勝手の良いアルカリイオンのシステムを提供することである。【解決手段】  本発明のシステムは、アルカリイオン水生成媒体供給部２０と、前記アルカリイオン水生成媒体２１を生活用水に混合し、電圧をかけることによって、アルカリイオン水のみを生成するアルカリイオン水生成部１０とアルカリイオン水生成部１０で生成されたアルカリイオン水を、密封されかつ持ち運び可能なアルカリイオン水搬送容器１０１に、注入する注入部（調整弁４０）と、を有する。【選択図】  図１
2020000993.tif 000002
【特許請求の範囲】
【請求項１】
アルカリイオン水生成媒体供給部と、
前記アルカリイオン水生成媒体を生活用水に混合し、電圧をかけることによって、アルカリイオン水のみを生成するアルカリイオン水生成部と、
前記アルカリイオン水生成部で生成されたアルカリイオン水を、密封されかつ持ち運び可能なアルカリイオン水搬送容器に、注入する注入部と、
を有するシステム。
【請求項２】
制御部を有し、
前記制御部は、
前記アルカリイオン水貯留部によって貯留されているアルカリイオン水の量に応じて、
前記アルカリイオン水生成部によるアルカリイオン水の生成量を制御する
請求項１に記載のシステム。
【請求項３】
前記制御部は、
アルカリイオン水の使用量と関係する情報に基づいて、
アルカリイオン水の生成量を制御する
請求項２に記載のシステム。
【請求項４】
密封されかつ持ち運び可能なアルカリイオン水搬送容器と、
前記アルカリイオン水搬送容器内の水と生活用水とを混ぜる混合部と、
を有し、
前記混合部は、
アルカリイオン水と、生活用水と、を所定の割合で混合する
システム。
【請求項５】
前記混合部は、流れている状態での生活用水中にアルカリイオン水を所定の割合で混ぜていく
請求項４に記載のシステム。
【請求項６】
アルカリイオン水と、生活用水との混合割合は、アルカリイオン水１に対して生活用水は１００倍以上である
請求項４又は５に記載のシステム
【請求項７】
ＯＨ−イオンに比べて金属イオンの量が少なく、
ｐＨ１２．５以上のアルカリイオン水
が密閉され、かつ、運搬可能に形成された
アルカリイオン水搬送容器。
【発明の詳細な説明】
【技術分野】
【０００１】
本発明は、アルカリイオン水を利用するシステムに関する
【背景技術】
【０００２】
特許文献１には、衣類等を洗濯するための洗浄システムの技術が開示されている。
また、衣類を家庭や複数の洗濯機が備えられているコインランドリで洗濯する際には、洗剤を用いて水洗いをすることで行われている。この際、合成洗剤に使用されている界面活性剤による肌刺激やアレルギーの発症が問題になっている。
また、環境や公害への影響も懸念されている。このため、特許文献１には、洗剤の使用が少量で済むように、食塩水を電気分解から生成したアルカリイオン水と酸性イオン水を用いて環境汚染及び公害問題を低減する洗濯装置が開示されている。
また、特許文献３では、本出願と同一の発明者によって、コインランドリ施設ごとに、アルカリイオン水発生装置を設けたコインランドリシステムが開示されている。
【先行技術文献】
【特許文献】
【０００３】
【特許文献１】特開２０１７―７７４６５号公報
【特許文献２】特開２００３―１４４７９３号公報
【特許文献３】特開２０１５−１８１７６５号公報
【発明の概要】
【発明が解決しようとする課題】
【０００４】
しかしながら、特許文献１に記載の方法においては、例えば、生成されたアルカリイオン水がその場でしか利用できない等の不利益がある。
【０００５】
本発明の目的の一例は、より使い勝手の良いアルカリイオンのシステムを提供することである。
【課題を解決するための手段】
【０００６】
本発明の第１の観点におけるシステムは、アルカリイオン水生成媒体供給部と、前記アルカリイオン水生成媒体を生活用水に混合し、電圧をかけることによって、アルカリイオン水のみを生成するアルカリイオン水生成部と、前記アルカリイオン水生成部で生成されたアルカリイオン水を、密封されかつ持ち運び可能なアルカリイオン水搬送容器に、注入する注入部と、を有する。
【０００７】
好適には、制御部を有し、前記制御部は、前記アルカリイオン水貯留部によって貯留されているアルカリイオン水の量に応じて、前記アルカリイオン水生成部によるアルカリイオン水の生成量を制御する。
【０００８】
好適には、前記制御部は、アルカリイオン水の使用量と関係する情報に基づいて、アルカリイオン水の生成量を制御する。
【０００９】
本発明の第２の観点におけるシステムは、密封されかつ持ち運び可能なアルカリイオン水搬送容器と、前記アルカリイオン水搬送容器内の水と生活用水とを混ぜる混合部と、を有し、前記混合部は、アルカリイオン水と、生活用水と、を所定の割合で混合する。
【００１０】
好適には、前記混合部は、流れている状態での生活用水中にアルカリイオン水を所定の割合で混ぜていく。
【００１１】
好適には、アルカリイオン水と、生活用水との混合割合は、アルカリイオン水１に対して生活用水は１００倍以上である。
【００１２】
本発明のアルカリイオン水搬送容器は好適には、ＯＨ−イオンに比べて金属イオンの量が少なく、ｐＨ１２．５以上のアルカリイオン水が密閉され、かつ、運搬可能に形成されている。
【発明の効果】
【００１３】
本発明によってより使い勝手の良いアルカリイオンのシステムを提供することが可能となった。
【図面の簡単な説明】
【００１４】
【図１】本発明の第１の実施形態に係るアルカリイオン水生成システムの説明図である。
【図２】制御部における制御フロー（アルカリイオン水を生成する部分）の説明図である。
【図３】制御部における制御フロー（アルカリイオン水をアルカリイオン水搬送容器に注入する部分）の説明図である。
【図４】変形例の説明図である。
【図５】、  アルカリイオン水利用方法の一例としてのコインランドリにおける利用形態の説明図である。
【図６】家庭用の洗濯機においてアルカリイオン水を供給するシステムの説明図である
【図７】洗濯機にアルカリイオン水を供給するシステムの他の実施形態である。
【図８】洗濯機でアルカリイオン水による洗浄を可能とするアタッチメント器具（混合部５１）の一例の説明図である。
【図９】洗濯以外にアルカリイオン水を利用する場合の一例の説明図である。
【発明を実施するための形態】
【００１５】
＜第１の実施形態＞
図１は、本発明の第１の実施形態に係るアルカリイオン水生成システム１の説明図である。
【００１６】
アルカリイオン水生成システム１は、アルカリイオン水生成部１０と、アルカリイオン水生成部１０へアルカリイオン水生成媒体２１を供給するアルカリイオン水生成媒体供給部２０と、アルカリイオン水生成部で生成されたアルカリイオン水を貯留するアルカリイオン水貯留部３０と、アルカリイオン水搬送容器１０１を有する。
【００１７】
アルカリイオン水生成部１０には、水道配管６１によって水が供給される。
ここで水とは、水道水、井戸水等のアルカリイオン水生成システム１において、もっとも安価に供給を受けられる水をいう。
アルカリイオン水生成部１０にはアルカリイオン水生成媒体供給部２０からアルカリイオン水生成媒体２１も供給される。
このためアルカリイオン水生成媒体供給部２０は、アルカリイオン水生成媒体２１を複数個備える。アルカリイオン水生成媒体２１は、水と反応し、例えばｐＨ１２．５以上のアルカリイオン水に変える。
【００１８】
このｐＨ１２．５は、例えば、普通の電気分解によって、酸性イオン水とアルカリイオン水を作るシステムでは、非常に困難なアルカリ度である。
また、本実施形態のアルカリイオン水は、ＯＨ−イオンだけを含むものである。
それに対して、一般的に多くあるアルカリイオン水生成システムは、ＯＨ−イオンだけではなく、例えば、金属イオンも含むことになる。
これでは、金属イオンによるアレルギーも考えられる。
つまり、水をアルカリ性にする錠剤を水の中に投入（溶解）する方式のものは、本実施形態に使用できない。
ここで、図１では、アルカリイオン水生成媒体２１は固体で記載しているが、液体であっても良い。
【００１９】
本実施形態における、アルカリイオン水とは、ＯＨ−イオンだけを含み、不可避的なものを除き金属イオンを含まないものをいう。
更に、本実施形態におけるアルカリイオン水とは、ＯＨ−イオンに比べて金属イオンの量が少ないことを言う。例示的な例でいえば、ＯＨ−イオンと金属イオンの数が１０以上、ＯＨ−イオンの数が多いものをいう。
【００２０】
このようなアルカリイオン水を生成する方法は、具体的には、例えば、既に開示されている技術である特開２００４−２７５８４１号公報の方法を使用して、アルカリイオン水を生成する。
しかしながら、この方法には、アルカリイオン水を生成するのに比較的長い時間がかかり、前もって、アルカリイオン水を生成し、それを貯蔵しなければ、使用の際にすぐにアルカリイオン水を使えないという問題がある。
そこで、特許文献３では、アルカリイオン水搬送容器１０１を設けていた。
しかしながら、このアルカリイオン水生成部１０は、比較的高価であるという問題点があり、複数の施設でこのシステムを導入した場合、導入コストが高騰するという問題点があった。
【００２１】
また、特許文献３の様に多くの洗浄装置が有るコインランドリ等の集合施設であれば、このようなシステムを導入も一考の価値がある。
しかし、今後、アルカリイオン水を各家庭に供給したりするべきであると出願人は発想した。
また、アルカリイオン水を大量に使用する場合であっても、やはり、工場のような場所で、集中して連続的に大量生成して、供給することが効率的であり、現実的であると発想した。
【００２２】
そこで、本実施形態では、施設毎ではなく、アルカリイオン水生成部１０を本部等の工場で一括してアルカリイオン水を生成し、各施設には宅配便等の物流網を使用してアルカリイオン水を提供することでこの問題を解決した。
なお、このような仕組みが可能となったのは、特許文献３では、アルカリイオン水のアルカリ濃度は比較的高いままで使用する必要があると考えていたが、各種の実験の結果、従来考えていたよりも、はるかに低いアルカリ濃度でも同様の洗浄作用が認められるという事実を発見したため、このようなことが可能となった。
つまり、従来のように比較的高いアルカリ濃度で使用する場合、アルカリイオン水を搬送してしまうと、極めて大量にアルカリイオン水を搬送する必要が生じ実用的ではないと考えて、各の施設においてアルカリイオン水を生成することとしていた。
しかし、アルカリ濃度が低くてもよいということであれば、各の施設で何百倍にも薄めて使用することが可能であり、それであれば、高価かつ場所を必要とするアルカリイオン水生成部１０を設けるよりも、わずかな高濃度のアルカリイオン水を搬送すれば足りると発見したことによって、本実施例（本発明）の方法が可能となった。
【００２３】
アルカリイオン水を集中して連続的に大量生成その為の方法を、図１を用いて以下説明する。
前述のように、アルカリイオン水生成部１０で生成されるアルカリイオン水は、時間をかけて生成される。
このため、アルカリイオン水搬送容器１０１には、生成されたアルカリイオン水が順次貯留される。
アルカリイオン水貯留部３０からアルカリイオン水搬送容器１０１へは、第２配管５２によってアルカリイオン水が供給される。
。第２配管５２には、調整弁４０が設けられる。調整弁４０は、アルカリイオン水貯留部３０からアルカリイオン水搬送容器１０１へのアルカリイオン水の量を調整する。
この調整弁４０が注入部に該当する。
なお、本実施形態では、アルカリイオン水の流れは、重力に基づいて流れるように形成しているが、ポンプ等を用いてもよいことは言うまでもない。
また、アルカリイオン水搬送容器１０１は、密封されかつ持ち運び可能な収納容器となっているとより好適である。
【００２４】
アルカリイオン水を連続生成するために、図１の様に、アルカリイオン水生成システム１は、制御部９０、第１水位センサＳ２、第２水位センサＳ３、第１水質センサＳ５、第２水質センサＳ６、流量センサＳ１、及び、重量センサＳ４が設けられている。
もっとも、このすべてが必ずしも必要であるわけではない。また、他のセンサ等によって代替も可能である。
【００２５】
制御部９０は、アルカリイオン水生成システム１を総合的に制御している。
第１水位センサＳ２は、アルカリイオン水貯留部３０の水位を測定している。
制御部９０は、第２水質センサＳ６の情報等をもとに、アルカリイオン水生成媒体供給部２０を制御している。
具体的には、アルカリイオン水生成部１０におけるアルカリイオン水生成媒体２１の濃度が薄くなった場合等に、新たなアルカリイオン水生成媒体供給部２０からアルカリイオン水生成媒体２１を供給する。
制御部９０は、第１水位センサＳ２及び第１水質センサＳ５の情報、並びに、消費情報・生産指令Ｄ１をもとに、アルカリイオン水生成部１０を制御している。
具体的には、第１水位センサＳ２を基に、アルカリイオン水生成部１０におけるアルカリイオン水の生成量を増減（場合によっては停止）させている。
また、第１水質センサＳ５を基に、アルカリイオン水生成部１０におけるアルカリイオン水のｐＨ濃度を調節している。
消費情報・生産指令Ｄ１は、アルカリイオン水の消費・需要等の情報や、生産を管理するコンピュータからの情報である。
制御部９０は、消費情報・生産指令Ｄ１をもとに、アルカリイオン水生成部１０におけるアルカリイオン水の生産量（場合によっては、ｐＨ濃度）を制御する。
【００２６】
ここで、アルカリイオン水の使用量と関係する情報の一例が、この消費情報・生産指令Ｄ１である。
消費情報・生産指令Ｄ１は、アルカリイオン水を消費する各消費地におけるアルカリイオン水の消費量であって良い。
また、  消費情報・生産指令Ｄ１は、アルカリイオン水搬送容器の注文であって良い。
さらに、アルカリイオン水の生産量を増加又は減少させる要因となる各種情報を、アルカリイオン水の使用量と関係する情報とすることができる。
【００２７】
また、制御部９０は、アルカリイオン水搬送容器１０１へのアルカリイオン水の注入を制御している。
制御部９０は、重量センサＳ４、流量センサＳ１及び第２水位センサＳ３（いずれか１つでも可能、また、他の方法を選ぶことも可能である。）からの情報から、調整弁４０を制御する。
なお、重量センサＳ４は、アルカリイオン水搬送容器１０１が所定の位置にセットされているか、その容量はどのぐらいかなどのセンサとして機能させることも可能である。もちろん、このアルカリイオン水搬送容器１０１が所定の位置にセットされているかの検出は、カメラからの各種の画像処理で行うことも可能である。
当然、カメラを用いるのであれば、アルカリイオン水搬送容器１０１へのアルカリイオン水の流入量の制御にこのカメラを使うことも可能である。
【００２８】
アルカリイオン水が満たされた、アルカリイオン水搬送容器１０１は、物流網を通じて各施設にそれぞれ配送される。
【００２９】
アルカリイオン水搬送容器１０１の頂部（口部）には、内容物の逆流を防ぐ仕組み、すなわち逆流防止弁を備えていてもよい。これによって、内容物を満たした前記タンクが、ベルトコンベア等で搬送用トラックに積み込まれるような際にも、余計な人力作業を行うことなく円滑な積載が可能となる。
なお、アルカリイオン水搬送容器１０１の口部には、螺着されるキャップ等で蓋をする構造の方が、好適な場合もある。
また、強アルカリが入っているため、後述するように、所定の装置に装着時破壊されてユーザが回しただけでは取れないような仕組みにすることも、極めて有効であると考えている。
【００３０】
なお、アルカリイオン水生成媒体供給部２０は、タイマを有し、タイマに応じて自動的に、アルカリイオン水生成部１０へアルカリイオン水生成媒体２１を供給するようにしてもよい。
また、アルカリイオン水生成媒体供給部２０が、アルカリイオン水貯留部３０のアルカリイオン水の貯留量に応じて、アルカリイオン水生成部１０へアルカリイオン水生成媒体２１を供給するように構成してもよい。
この際には、アルカリイオン水貯留部３０にアルカリイオン水の貯留量を検知する検知手段を設け、検知した情報をアルカリイオン水生成媒体供給部２０に送るようにする。
【００３１】
なお、アルカリイオン水生成媒体２１は、前述の技術を使う場合、炭酸カリウムからなる固形状に成型された電解補助剤を使用することができる。炭酸カリウムを用いた場合、１２．５ｐＨのアルカリイオン水を１時間に１５リットル程度生成することが可能である。アルカリイオン水貯留部３０に貯留されている量などに応じて、アルカリイオン水生成部１０へ供給される炭酸カリウムの量を調整することも可能である。
この技術によって、下記のような特別なアルカリイオン水を製造することができる。
アルカリイオン水とは、ＯＨ−イオンだけを含み、不可避的なものを除き金属イオンを含まないものをいう。
更に、本実施形態におけるアルカリイオン水とは、ＯＨ−イオンに比べて金属イオンの量が少ないことを言う。例示的な例でいえば、ＯＨ−イオンと金属イオンの数が１０以上、ＯＨ−イオンの数が多いものをいう。
【００３２】
また前述の様に、本実施形態では、固形状に成型されたアルカリイオン水生成媒体２１としたが、変形例においては、粉状のものであってもよい。
さらに、変形例においては、生成または貯留したいアルカリイオン水の量に応じて、アルカリイオン水生成部１０へ供給される炭酸カリウムの量を調整するようにしてもよい。
また、変形例においては、アルカリイオン水搬送容器１０１を順次自動的に供給して、アルカリイオン水を満たすシステムにしてもよい。
【００３３】
本実施形態は、従来技術の様にコインランドリにアルカリイオン水を供給することに主眼を置いたものではなく、より広く強アルカリのアルカリイオン水を供給することを苦的にしている。
ただ、もちろん、コインランドリシステムに供給することも可能である（図５参照のこと。）。
そこで、コインランドリの場合についてもここで説明する。
コインランドリシステム、複数のコインランドリを管理する本部と、各コインランドリ施設２（図５も参照のこと）を有している。
ここで、ここでコインランドリ施設は、複数の施設を最終的には想定しているが、１つの施設であってもよい。
コインランドリ施設２は、現在は硬貨を使用して洗浄を行っているが、今後電子的な方法による決済が可能となる。このようなものも、本実施形態におけるコインランドリという。
また、このコインランドリ施設２の敷地内とは、水、アルカリイオン水、情報等を、公共（＝不特定の第三者も利用可能なことを表す）の施設・設備を使用しなくても送る又は受け取る（情報の場合は、送受信）ことができる範囲をいう。
【００３４】
図２は、制御部９０における制御フロー（アルカリイオン水を生成する部分）の説明図である。
【００３５】
ステップＳ０１において、第１水位センサＳ２の水位を検出する。
具体的には、アルカリイオン水貯留部３０内のアルカリイオン水の貯蔵量を検出する。
【００３６】
ステップＳ０３において、第１水位センサＳ２の水位に基づいて判断を行う。
アルカリイオン水の量が、アルカリイオン水貯留部３０の貯留ＭＡＸ量以上である場合は、ステップＳ０５に移行する。
他方、アルカリイオン水の量が、アルカリイオン水貯留部３０の貯留ＭＡＸ量以上ではない場合は、ステップＳ０７に移行する。
【００３７】
ステップＳ０５において、アルカリイオン水の貯蔵量が多いということなので、制御部９０は、アルカリイオン水生成部１０及びアルカリイオン水生成媒体供給部２０にアルカリイオン水の生成を抑制する各種の指示を出す。
例えば、アルカリイオン水生成部１０が供給している電力（電圧、電流、あるいは両方）を低減する。更に、電力を停止する。
これに合わせて、アルカリイオン水生成媒体供給部２０の供給や、水道水の供給を停止させる等である。
特に、本実施形態のアルカリイオン水生成システムは、電力の供給を停止してしまえばアルカリイオン水の生成が止まり、再起動に極めて大きな時間や手間がかかるわけではないため、停止させることができることも大きなメリットであることを発見した。
【００３８】
ステップＳ０７において、第１水位センサＳ２の水位に基づいて判断を行う。
アルカリイオン水の量が、アルカリイオン水貯留部３０のＭＩＮ貯留（最低水量）以下である場合は、ステップＳ０９に移行する。
他方、アルカリイオン水の量が、アルカリイオン水貯留部３０のＭＩＮ量以下ではない場合は、ステップＳ１１に移行する。
【００３９】
ステップＳ０９において、アルカリイオン水の貯蔵量が少ないということなので、制御部９０は、アルカリイオン水生成部１０及びアルカリイオン水生成媒体供給部２０にアルカリイオン水の生成を増進する各種の指示を出す。
例えば、アルカリイオン水生成部１０が供給している電力（電圧、電流、あるいは両方）を増大させる。
これに合わせて、アルカリイオン水生成媒体供給部２０の供給や、水道水の供給を増大させる等である。
【００４０】
ステップＳ１１において、図１の消費情報・生産指令Ｄ１等を受信する。
例えば、消費情報はアルカリイオン水が各消費地等で使用されている割合などを受信する。また、本部の生産指令の値などを受信する。
【００４１】
ステップＳ１１において、図１の消費情報・生産指令Ｄ１等を受信する。
例えば、消費情報はアルカリイオン水が各消費地等で使用されている割合などを受信する。また、本部の生産指令の値などを受信する。
【００４２】
ステップＳ１３において、ステップＳ１１において受信した各指令に基づいて、アルカリイオン水生成部１０が生成するアルカリイオン水の量を決定（修正）する。
【００４３】
ステップＳ１５において、ステップＳ１３において決定された量に基づいた、アルカリイオン水生成部１０等への動作指令を出す。
【００４４】
図３は、制御部９０における制御フロー（アルカリイオン水をアルカリイオン水搬送容器１０１に注入する部分）の説明図である。
【００４５】
ステップＳ２１において、第１水位センサＳ２の水位を検出する。
具体的には、アルカリイオン水貯留部３０内のアルカリイオン水の貯蔵量を検出する。
【００４６】
ステップＳ２３において、アルカリイオン水搬送容器１０１が所定の位置にセットされているか検出する。
アルカリイオン水搬送容器１０１が所定の位置にある場合には、ステップＳ２５に移行する。
他方、アルカリイオン水搬送容器１０１が所定の位置ではない場合には、アルカリイオン水をアルカリイオン水搬送容器１０１には注入できないので、ステップＳ２１に戻る。
【００４７】
ステップＳ２５において、第１水位センサＳ２の水位に基づいて判断を行う。
アルカリイオン水の量が、適切量の範囲である場合は、ステップＳ２５に移行する。
他方、アルカリイオン水の量が適切量の範囲外である場合には、アルカリイオン水を、アルカリイオン水貯留部３０の貯留ＭＡＸ量以上ではない場合はアルカリイオン水搬送容器１０１には注入できないので、ステップＳ２１に戻る。
【００４８】
ステップＳ２７において、調整弁４０を開放する。
ステップＳ２９において、アルカリイオン水搬送容器１０１に注入済みのアルカリイオン水の量を検出する。この検出には、図１のところで説明した各方法を選択できる。
【００４９】
ステップＳ３１において、アルカリイオン水搬送容器１０１内のアルカリイオン水の量が規定値に達しているか判断する。
そして、規定値に達している場合は、ステップＳ３３に移行する。
他方、規定値に達していない場合は、規定値に達するまでステップＳ３１を繰り返す。
【００５０】
ステップＳ３３において、調整弁４０を閉鎖する。
そして、ステップＳ２５において、
開放する。
ステップＳ３５において、アルカリイオン水搬送容器１０１に注入が完了した旨の各種表示等を出す。これによって、アルカリイオン水搬送容器１０１の積み込み、又は、新たなアルカリイオン水搬送容器１０１への注入動作に移ることになる。
【００５１】
＜変形例＞
図４は、変形例の説明図である。
【００５２】
この変形例は、アルカリイオン水貯留部３０が無い以外は前述してきた第１の実施形態と同じである。
比較的沢山の量を連続的に生産する場合には、アルカリイオン水貯留部３０が無く生成完了した量をすべてそのままアルカリイオン水搬送容器１０１に注入することがより適切な場合が多い。
【００５３】
以上は、アルカリイオン水の生成及びアルカリイオン水の入ったアルカリイオン水搬送容器１０１の製造過程について言及してきた。
以下では、アルカリイオン水の利用（アルカリイオン水の入ったアルカリイオン水搬送容器１０１の製造過程の利用）システム（方法）（以下、単に「アルカリイオン水利用方法」という）について記載する。
【００５４】
図５は、アルカリイオン水利用方法の一例としてのコインランドリにおける利用形態の説明図である。
【００５５】
より具体的には、本発明の第１の実施形態に係るコインランドリシステム１００のアルカリイオン水を使用するコインランドリ施設２部分の説明図である。
換言すると、図１において、アルカリイオン水搬送容器１０１に充填されたアルカリイオン水を使用して、衣類を洗浄する部分の説明図である。
【００５６】
図５のコインランドリ施設２は、第１洗浄槽１１０ａ、第２洗浄槽１１０ｂ、第３洗浄槽１１０ｃ、第４洗浄槽１１０ｄの４台の洗浄槽１１０を含んでいる。
コインランドリ施設２は、図示していないが、その他のコインランドリが通常有する施設、装備、店舗を有していることはいうまでもないが、本実施形態の本質部分ではないので説明を省略する。
【００５７】
また、洗浄槽１１０の数（４台）よりも少ない数（１個）のアルカリイオン水貯留部１３１を備えている。
第２配管１０４は、このアルカリイオン水貯留部１３１からアルカリイオン水を各洗浄槽１１０に供給している。
具体的には、第１アルカリ水用開口部１１４ａから第１洗浄槽１１０ａに水が供給され、第２アルカリ水用開口部１１４ｂから第２洗浄槽１１０ｂに水が供給され、第３アルカリ水用開口部１１４ｃから第３洗浄槽１１０ｃに水が供給され、第４アルカリ水用開口部１１４ｄから第４洗浄槽１１０ｄに水が供給される。
また、第１アルカリ水用調整弁１１２ａによって、第１洗浄槽１１０ａへ供給されるアルカリイオン水が調整される。
同様に、第２アルカリ水用調整弁１１２ｂによって第２洗浄槽１１０ｂへの供給が、第３アルカリ水用調整弁１１２ｃによって第３洗浄槽１１０ｃへの供給が、第４アルカリ水用調整弁１１２ｄによって第４洗浄槽１１０ｄへの供給が、調整される。
【００５８】
第３配管５３は４台の洗浄槽１１０へ水道水等のアルカリイオンを含まない通常の洗浄において使用される水用の配管であり、第１水用開口部１１３ａから、第１洗浄槽１１０ａに水が供給される。
同様に、第２水用開口部１１３ｂから第２洗浄槽１１０ｂに水が供給され、第３水用開口部１１３ｃから第３洗浄槽１１０ｃに水が供給され、第４水用開口部１１３ｄから第４洗浄槽１１０ｄに水が供給される。
また、第１水用調整弁１１１ａによって、第１洗浄槽１１０ａへ供給される水が調整される。
同様に、第２水用調整弁１１１ｂによって第２洗浄槽１１０ｂへの供給が、第３水用調整弁１１１ｃによって第３洗浄槽１１０ｃへの供給が、第４水用調整弁１１１ｄによって第４洗浄槽１１０ｄへの供給が、調整される。
【００５９】
アルカリイオン水貯留部１３１へは、アルカリイオン水搬送容器１０１内のアルカリイオン水を、第４配管５５を介してくみ上げて補給する。
より具体的には、給水口５５ａからポンプ５４で吸引したアルカリイオン水を、排水溝５５ｂから排水することによって、アルカリイオン水貯留部１３１へアルカリイオン水を供給する。
【００６０】
アルカリイオン水貯留部１３１には、その水位を検出するためのセンサ１３２が配置される。
例えばこのセンサ１３２は、圧力計とすることによって、水位を細かく知ることが可能である。
もちろん、圧力計以外の方法であってもよい。
また、好適ではないものの、水位が所定の量以下又は以上となった際に、そのことを検出可能なセンサを１つまたは２つ以上設けることも可能である。
また、このセンサ１３２は、アルカリイオン水が不足してコインランドリ営業ができなくなることが予想される危険水量を検出可能とすることが好適である。
このセンサ１３２がこの機能を有していてもよいし、この機能の専用のセンサが配置されていてもよい。
【００６１】
アルカリイオン水の供給は、第２配管１０４を介して行われるが、この際には、ポンプ等を使わず重力によって、各洗浄槽１１０にアルカリイオン水を供給することが好ましい。もちろん、ポンプを使用することを排除する趣旨ではない。
また、第３配管５３も可能であれば、水道本管と直結して水道本管の圧力を用いて、各洗浄槽１１０に水を供給したほうが適切である。
【００６２】
また、本発明では、洗浄に適したアルカリイオン水で洗浄を行う。
さらに、このアルカリイオン水は除菌殺菌作用も有するアルカリイオン水で洗浄するのが好ましい。衣服等の汚れは酸性であるため、洗浄する際の水のアルカリ性が強いほど汚れを落とすことができる。比較的強アルカリイオン水であれば、油汚れやタバコのヤニも分解洗浄することが可能である。
【００６３】
ここで、アルカリイオン水は、合成界面活性剤などを使用していないため、泡立つことなく、洗浄と同時にすすぐことができる。
このため、大幅な節水につながり、コスト削減にもつながる。また、洗剤を使用しないため、色も臭いもなく、アルカリイオン水による除菌効果による菌の除去により、消臭効果にもつながる。
【００６４】
以上の例では、アルカリイオン水貯留部１３１で複数台の洗浄槽１１０を稼働していた。しかしながら、アルカリイオン水搬送容器１０１を各洗浄槽１１０に各１つそれぞれ配置して、対応することも可能である。
この方が、配管が不要になりコストが安くなる等のメリットがある。
【００６５】
この場合にはより、アルカリイオン水搬送容器１０１の残量を監視する装置と、それを、施設内の人、又は／及び、本部に通知するシステムが必要となる。
特に、コンビニエンスストア等の商業施設、その他の施設に併設してコインランドリを設ける場合は、この通知システムが重要となる。
例えば、アルカリイオン水搬送容器１０１の残量は、重量センサ、液面センサ、カメラの画像解析による監視装置を通じて監視ることが可能である。
そして、その監視装置の結果を、ライトの点灯（点滅）、携帯端末への通知、店舗のレジ、その他の通知手段で通知することが非常に重要となる。（なお、この部分については、特許化も検討している。）
【００６６】
以上のシステムでは、ある程度規模の有るアルカリイオン水を消費するシステムを念頭に置いていたが、アルカリイオン水は今後、各家庭の洗濯にも使用可能である。
さらに、食器若しくは食品の洗浄、手洗い、機械の洗浄、除菌用薬品の代用等に利用可能である。
そのような実施形態を以下説明していく。
【００６７】
図６は、家庭用の洗濯機２００においてアルカリイオン水を供給するシステムの説明図である。
【００６８】
家庭用の洗濯機２００は、通常、水道水に各種の洗剤を投入して衣類等が洗浄される。
しかし、本実施形態の様に小分けされたアルカリイオン水搬送容器１０１が発明された。
そのような小分けされたアルカリイオン水搬送容器１０１があれば、家庭でもアルカリイオン水での洗濯が可能となる。
【００６９】
図６のように、洗濯機２００の洗浄室２０３に供給する、洗濯用の水に、アルカリイオン水を混ぜることによってこれが可能である。
アルカリイオン水搬送容器１０１からのアルカリイオン水の流れを制御する洗濯機第２制御弁２０２があれば足りる。なお、水道水等の水は、洗濯機第１制御弁２０１で制御される。
ここで、洗濯機第２制御弁２０２は、洗濯機が洗浄モードの際に水道水等が供給される間に開弁されて、アルカリイオン水を供給する。他方、ゆすぎモードの際には同じように水道水等が供給される場合には、開弁されない。
もっとも、アルカリイオン水は洗剤の様に衣類に残留してアトピー等を誘発することはないので、ゆすぎモードにおいても使用することは技術的に問題ない。問題が有るとすれば経済的に無駄であるというだけである。この点も安くより高濃度のアルカリイオン水を作れるようになれば解決可能ではある。
【００７０】
図６においては、水道水側の配管とアルカリイオン水側の合流部分及び洗濯機第２制御弁２０２が混合部５１となっている。
【００７１】
図７は、洗濯機２００にアルカリイオン水を供給するシステムの他の実施形態である。
【００７２】
図７（ａ）のように、第１水道水配管２０８ａと第２水道水配管２０８ｂとの間に、水道水制御弁２０６を設ける。
この第１水道水配管２０８ａと第２水道水配管２０８ｂは、洗濯機側の第３水道側配管２０８ｃとで、水道水配管２０８を構成する。なお、第３水道側配管２０８ｃは、後述の様にアルカリイオン水も通過するので、水道専用というわけではない。
また、アルカリイオン水搬送容器１０１に挿入されるアルカリイオン水配管２０５を有する。
アルカリイオン水配管２０５は、アルカリイオン水配管２０５と、アルカリイオン水弁２１０を有している。
またアルカリイオン水配管２０５は、第１アルカリイオン水配管２０５ａと第２アルカリイオン水配管２０５ｂとを有している。そして、第１アルカリイオン水配管２０５ａと第２アルカリイオン水配管２０５ｂとの間に、アルカリイオン水弁２１０が配置されている。
第１アルカリイオン水配管２０５ａは、アルカリイオン水搬送容器１０１に
アルカリイオン水配管２０５と水道水配管２０８との接続部分にディフーザ２０９が設けられている。
このディフーザ２０９は、水道水が勢いよく流れると、ポンプ作用を発揮して、アルカリイオン水を吸い上げて搬送することが可能である。
【００７３】
図７（ｂ）のように、ディフーザ２０９の代わりにポンプ２０７を用いることも可能である。その方がより確実にアルカリイオン水を搬送できる。他方、ディフーザ２０９の場合、ポンプ２０７を必要としないので、電源を必要とせず、コスト的にも安くすることができるというメリットがある。
【００７４】
図７（ａ）においては、ディフーザ２０９とアルカリイオン水弁２１０とを合わせて混合部５１という。
同様に、図７（ｂ）においては、水道水側の配管とアルカリイオン水側の合流部分及びとポンプ２０７とを合わせて混合部５１という。
【００７５】
図６及び図７では、専用の洗濯機２００を必要とするというデメリットがあった。そこで、今現在多数存在する洗剤を投入することを前提とした洗濯機２００でアルカリイオン水による洗浄を可能とするアタッチメント器具（混合部５１）の一例を説明する。
【００７６】
図８は、洗濯機２００でアルカリイオン水による洗浄を可能とするアタッチメント器具（混合部５１）の一例の説明図である。
【００７７】
洗濯機２００は、水道水取入れの為に、水道の蛇口と洗濯機２００とをつなぐ水道配管部材３０８を有してる。
水道配管部材３０８の一端部は水道の蛇口等に取り付けられる。
水道配管部材３０８の他端部は、図８のようにネジ形状を有している雄ネジ形状部材３０７を有している。
この雄ネジ形状部材３０７が、通常は洗濯機２００の雌ネジ形状部分３１４に挿入されることによって、水道水を洗濯機２００に供給している。
【００７８】
水道配管部材３０８と、洗濯機２００の雌ネジ形状部分３１４との間に、混合部５１を挿入することによって、アルカリイオン水と水道水とを、所定の割合で混合することができる。
【００７９】
混合部５１は、混合部雌ネジ形状部材３０９、混合部第１配管３１０、混合部ディフーザ３１１、混合部第２配管３１２、混合部雄ネジ形状部材３１３、アルカリイオン水計量容器３０４、混合部第３配管３１６、計量容器逆止弁３０６、搬送容器側連通路３０２、アルカリイオン水調整弁３０３、搬送容器側端部３０１を有している。
【００８０】
混合部ディフーザ３１１は、洗濯機２００側に進むにしたがって管路断面積が徐々に狭まる第１ディフーザ部３１１ａを有している。同様に、混合部ディフーザ３１１は、洗濯機２００側に進むにしたがって管路断面積が徐々に狭まる第２ディフーザ部３１１ｂを有している。
第１ディフーザ部３１１ａは、水道水が内部を通過するための物である。
他方、第２ディフーザ部３１１ｂは、アルカリイオン水が通過するものである。
混合部ディフーザ３１１の、流路下流方向（洗濯機２００側方向）には、混合部第１配管３１０よりも流路断面積が狭い混合部第２配管３１２が形成されている。
このような構造を有することから、第１ディフーザ部３１１ａ内を水道水が流れると、流速を増して水道水が流れることになる。そうすると、ディフーザ効果によって、第２ディフーザ部３１１ｂ内のアルカリイオン水も吸引されることになる。
これによって、動力などを必要とせずに、アルカリイオン水に対してポンプ作用を奏させることが可能となる。
【００８１】
そして、水道水とアルカリイオン水が混合された希釈水は、混合部雄ネジ形状部材３１３を介して、洗濯機２００に導入されることになる。
【００８２】
第２ディフーザ部３１１ｂは、アルカリイオン水計量容器３０４の計量容器内部空間３０５と連通している。
ここで、計量容器内部空間３０５は、アルカリイオン水が１回に必要とされる分量に合わせて設計される。例えば、前述の割合である水道水が１０００に対してアルカリイオン水が１の場合には、３０リットルの洗濯機２００の場合には、３０ｃｃが計量容器内部空間３０５の容量となる。
【００８３】
アルカリイオン水計量容器３０４には、計量容器逆止弁３０６が形成されている。
この計量容器逆止弁は、計量容器内部空間３０５と外気を繋いでいる。そして、外気が、計量容器内部空間３０５に流入することのみを許容するように配置されている。
【００８４】
また、アルカリイオン水計量容器３０４は、アルカリイオン水搬送容器１０１と連通させるための、搬送容器側連通路３０２と連通している。
この搬送容器側連通路３０２には、アルカリイオン水調整弁３０３が配置されている。
そして、アルカリイオン水調整弁３０３は、搬送容器側連通路３０２の連通させる、及び、連通を停止するという２つの状態を少なくともとることが可能である。
例えば、アルカリイオン水調整弁３０３は押圧している時だけ、アルカリイオン水搬送容器１０１から、アルカリイオン水計量容器３０４にアルカリイオン水を送ることが可能とし、そうだ無い場合は、連通を遮断することができるようにしても良い。
【００８５】
搬送容器側連通路３０２は、搬送容器側端部３０１と連通している。
この搬送容器側端部３０１は、アルカリイオン水搬送容器１０１のキャップ１０１ａと連結可能（着脱可能）に形成有されている。
【００８６】
他方、アルカリイオン水搬送容器１０１の口部分には、密閉するためのキャップ１０１ａが形成されている。
また、図８ではより好適な例として、このキャップ１０１ａの頂部付近に脆弱部１０１ｂを形成している。
この脆弱部１０１ｂが破壊されることによって、キャップ１０１ａを外さなくてもアルカリイオン水を抽出することが可能としている。
この脆弱部１０１ｂを破壊するために、搬送容器側端部３０１には突起部３０１ｂが形成されている。
また、搬送容器側端部３０１には、キャップ１０１ａと螺着することによって、アルカリイオン水搬送容器１０１を固定しつつ、アルカリイオン水が飛び散らないようにしている。
以上のような、脆弱部１０１ｂ及び突起部３０１ｂの存在、並びに、搬送容器側端部３０１とキャップ１０１ａが螺着による固定が有ることは、簡易な構成にしつつ、強アルカリのアルカリイオン水を安全に取り扱うために差異証している。
もっとも、これは一例であり、これよりも厳重な取り扱いであっても、逆に、簡易な取り扱いも当然に可能である。
【００８７】
以上のような構造の混合部５１がどのような挙動をして、アルカリイオン水と水道水を混合するのか以下説明する。
まず、洗濯を始める場合に、ユーザはアルカリイオン水調整弁３０３を操作（押圧）する。
そうすると、計量容器内部空間３０５内の空気とアルカリイオン水搬送容器１０１とが入れ替わる。つまり、計量容器内部空間３０５には、アルカリイオン水が満たされることになる。
その結果、計量容器内部空間３０５の容量だけアルカリイオン水を計量することができる。
そして、アルカリイオン水調整弁３０３の操作（押圧）を止めると、連通が解除される。それは、計量容器内部空間３０５のアルカリイオン水が吸い出されても、アルカリイオン水搬送容器１０１内のアルカリイオン水は吸い出されないことを意味する。
【００８８】
なお、計量容器内部空間３０５内の空気とアルカリイオン水搬送容器１０１とが入れ替わりについては、より速度が出る方法等を採用することは当然に可能である。
【００８９】
次に、ユーザは通常の洗濯を始める。
洗濯機２００は、最初に、水道水を洗浄の為に導入することから水道水を導入することになる。
その際、前述の混合部ディフーザ３１１の効果によって、アルカリイオン水（計量容器内部空間３０５のアルカリイオン水）を吸引する。
その為、洗濯の最初に行う洗浄モードの際に、アルカリイオン水が導入される。
なお、計量容器内部空間３０５のアルカリイオン水が吸い出されるのに従って、計量容器逆止弁３０６から空気が導入される。
つまり、、計量容器内部空間３０５のアルカリイオン水がすべて吸い出された後は、空気が混合部ディフーザ３１１から吸い出されることになるが、通常の洗濯機は、水の重さで計量しているので、空気が水道水にまざっても問題は生じない。
ここで、水道水にアルカリイオン水を入れる割合（速度）は、第２ディフーザ部３１１ｂの断面積、混合部第２配管３１２の断面積などから調整可能である。
比較的断面積を小さくした方が好適であることは言うまでもない。
【００９０】
そして、洗濯機２００が、洗浄モードのための水道水を入れ終わった後は、水道水の洗濯機２００への流入は停止する。
そうすると、混合部第１配管３１０及び混合部第２配管３１２は、水道管の圧力に戻る。その際には、水道水は、混合部第３配管３１６を一部逆流するが、計量容器逆止弁３０６が存在するため、計量容器内部空間３０５内にみちることはなく、空気がそのまま存在することになる。
【００９１】
洗浄モードの次のすすぎモードの際にも水道水は使われるが、この時にはユーザはアルカリイオン水調整弁３０３の操作（押圧）をしていないので、アルカリイオン水は計量容器内部空間３０５に無いため、アルカリイオン水が使われることはない。
【００９２】
例えば、以上のような方法で、アルカリイオン水（アルカリイオン水搬送容器１０１）は、家庭内の洗濯機２００にも使用可能である。
これは一例であり、どのような方法でも利用可能である。
【００９３】
上記実施形態では、衣類の洗濯に限定していた。
しかしながら、本件技術は上位では、強アルカリのアルカリイオン水を小分けにして、消費地に搬送して、それを消費地で希釈して利用するという技術思想である。
その為、衣類の洗濯に限定されるものではない。
そのような実施形態を以下に示す。
【００９４】
図９は、洗濯以外にアルカリイオン水を利用する場合の一例の説明図である。
【００９５】
図９の様に、水道水にアルカリイオン水を加えて、蛇口などから出すことによって、食品（野菜等）の洗浄を行うことも可能である。
また、食器の洗浄も行うことが可能である。
食洗器の洗剤代わりにすることも可能である。
【００９６】
さらに発展して、お風呂に入れることも可能である。
また、殺菌用の薬品としても使用の可能性が有る。アルカリイオン水には、洗浄効果だけではなく殺菌効果も当然あるからである。
【００９７】
アルカリイオン水と水道水の混合割合は、ｐｈ１２．５の場合、例えば、アルカリイオン水が１に対して水道水が１，０００であって良い。
もちろん、この割合は用途によって変更可能である。例えば、１に対して１０〜１に対して１００，０００まで現在のところ変更可能であると考えている。
ただ、通常の洗濯の場合には、１に対して１００〜１に対して１０,０００が適正値であると考えている。
更に、最適な値は、前述の１に対して１，０００でありが適切であると現在のところ考えている。
これと同じ程度の効果ある範囲は、１に対して２００〜１に対して５,０００であると考えている。
混合部５１は、上記の割合によって、混合することが適切である。
【００９８】
アルカリイオン水搬送容器１０１の容量は、０.２〜１００リットル程度まで可能である。
その中では、既存のポリプロピレン容器（ペットボトル）であれば、その汎用性や調達のしやすさ、コストなどから適切であると現在のところ考えている。
その結果、０．５リットル、１リットル、２リットル程度であって良い。
特に、家庭用の場合このような容量が適切であると考えている。
他方、コインランドリや事業用（飲食店、工場）であれば、より大きな容量の物が適切であろう。
【００９９】
アルカリイオン水搬送容器１０１には、将来的には、プリンターのインクカートリッジのようにＩＣチップ等を埋め込みつつ、その使用の量を把握して、本部の管理を可能とすることが適切である。
【０１００】
アルカリイオン水搬送容器１０１の材質は、ペットボトルが現在のところ適切であると考えているが、適宜変更可能である。
特に、よりアルカリイオン濃度が高い場合は、ガラス、陶器、その他の材料を選択することや、内面のコーティングをするなどした方がより適切である。
【０１０１】
＜実施形態の構成及び効果＞
本発明のシステムは、アルカリイオン水生成媒体供給部２０と、アルカリイオン水生成媒体２１を生活用水に混合し、電圧をかけることによって、アルカリイオン水のみを生成するアルカリイオン水生成部１０とアルカリイオン水生成部１０で生成されたアルカリイオン水を、密封されかつ持ち運び可能なアルカリイオン水搬送容器１０１に、注入する注入部（調整弁４０）と、を有する。
このような構成を有することから、より使い勝手の良いアルカリイオンのシステムを提供することができる。
【０１０２】
制御部９０を有し、制御部９０は、アルカリイオン水貯留部３０によって貯留されているアルカリイオン水の量に応じて、アルカリイオン水生成部１０によるアルカリイオン水の生成量を制御する。
このような構成を有することから、連続的にアルカリイオン水を生産することが可能となる。
【０１０３】
制御部９０は、アルカリイオン水の使用量と関係する情報に基づいて、アルカリイオン水の生成量を制御する。
このような構成を有することから、需要や生産指示に即して、連続的にアルカリイオン水を生産することが可能となる。
【０１０４】
密封されかつ持ち運び可能なアルカリイオン水搬送容器１０１と、アルカリイオン水搬送容器１０１内の水と生活用水とを混ぜる混合部５１と、を有し、混合部５１は、アルカリイオン水と、生活用水と、を所定の割合で混合する。
このような構成を有することから、より使い勝手の良いアルカリイオンのシステムを提供することができる。
換言すると、適切な濃度のアルカリイオン水を利用することができる。
【０１０５】
混合部５１は、流れている状態での生活用水中にアルカリイオン水を所定の割合で混ぜていく。
このような構成を有することから、アルカリイオン水のアルカリ濃度が高い状態で、配管内などを流れることが無く、配管などを痛めることが無いという効果がある。
【０１０６】
アルカリイオン水と、生活用水との混合割合は、アルカリイオン水１に対して生活用水は１０倍以上である。
このような構成を有することから、アルカリイオン水を有効に活用することができる。
【０１０７】
アルカリイオン水搬送容器１０１は、ＯＨ−イオンに比べて金属イオンの量が少なく、ｐＨ１２．５以上のアルカリイオン水が密閉され、かつ、運搬可能に形成されている。
このような構成を有することから、より使い勝手の良いアルカリイオンのシステムを提供することができる。
【０１０８】
＜定義等＞
コインランドリ施設２は、現在は硬貨を使用して洗浄を行っているが、今後電子的な方法による決済が可能となる。このような物も、本発明におけるコインランドリという。
また、このコインランドリ施設２の敷地内とは、水、アルカリイオン水、情報等を、公共（＝不特定の第三者も利用可能なことを表す）の施設・設備を使用しなくても送る又は受け取る（情報の場合は、送受信）ことができる範囲をいう。
本発明の制御部は、物理的にはどの場所にあってもよい。例えば、コインランドリで使用する場合はコインランドリ施設２内の制御部６０であってもよいし、本部制御部６５であってもよい。さらには、全く別の場所にあってもよい。また、制御部６０と本部制御部６５とが処理を分担するものであってもよい。
本発明における、アルカリイオン水とは、はＯＨ−イオンだけを含み、不可避的なも
のを除き金属イオンを含まないものをいう。
更に、本実施形態におけるアルカリイオン水とは、ＯＨ−イオンに比べて金属イオンの量が少ないことを言う。例示的な例でいえば、ＯＨ−イオンと金属イオンの数が１０倍以上、ＯＨ−イオンの数が多いものをいう。
本発明における注入部の一例が調整弁４０である。注入部は、アルカリイオン水搬送容器にアルカリイオン水を注入できるものであればどのようなものであっても良い。
本発明におけるアルカリイオン水の使用量と関係する情報とは、アルカリイオン水を消費する各消費地におけるアルカリイオン水の消費量であって良いし、アルカリイオン水搬送容器の注文であって良い。その他、アルカリイオン水の生産量を増加又は減少させる要因となる各種情報とすることができる。
本発明の生活用水の一例が水道水である。生活用水は、水道水に限定されず、井戸水・溜め水であってよい。つまり、その地域で最も一般的に得られる生活用水であればよい。
【符号の説明】
【０１０９】
１                  ：アルカリイオン水
１                  ：アルカリイオン水生成システム
２                  ：コインランドリ施設
１０                ：アルカリイオン水生成部
２０                ：アルカリイオン水生成媒体供給部
２１                ：アルカリイオン水生成媒体
３０                ：アルカリイオン水貯留部
４０                ：調整弁
５１                ：混合部
５２                ：第２配管
５３                ：第３配管
５４                ：ポンプ
５５                ：第４配管
５５ａ              ：給水口
５５ｂ              ：排水溝
６０                ：制御部
６１                ：水道配管
６５                ：本部制御部
９０                ：制御部
１００              ：コインランドリシステム
１０１              ：アルカリイオン水搬送容器
１０１ａ            ：キャップ
１０１ｂ            ：脆弱部
１０４              ：第２配管
１１０              ：洗浄槽
１３１              ：アルカリイオン水貯留部
１３２              ：センサ
２００              ：洗濯機
２０１              ：洗濯機第１制御弁
２０２              ：洗濯機第２制御弁
２０３              ：洗浄室
２０５              ：アルカリイオン水配管
２０５ａ            ：第１アルカリイオン水配管
２０５ｂ            ：第２アルカリイオン水配管
２０６              ：水道水制御弁
２０７              ：ポンプ
２０８              ：水道水配管
２０８ａ            ：第１水道水配管
２０８ｂ            ：第２水道水配管
２０８ｃ            ：第３水道側配管
２０９              ：ディフーザ
２１０              ：アルカリイオン水弁
３０１              ：搬送容器側端部
３０１ｂ            ：突起部
３０２              ：搬送容器側連通路
３０３              ：アルカリイオン水調整弁
３０４              ：アルカリイオン水計量容器
３０５              ：計量容器内部空間
３０６              ：計量容器逆止弁
３０７              ：雄ネジ形状部材
３０８              ：水道配管部材
３０９              ：混合部雌ネジ形状部材
３１０              ：混合部第１配管
３１１              ：混合部ディフーザ
３１１ａ            ：第１ディフーザ部
３１１ｂ            ：第２ディフーザ部
３１２              ：混合部第２配管
３１３              ：混合部雄ネジ形状部材
３１４              ：雌ネジ形状部分
３１６              ：混合部第３配管
Ｄ１                ：生産指令
Ｓ１                ：流量センサ
Ｓ２                ：第１水位センサ
Ｓ３                ：第２水位センサ
Ｓ４                ：重量センサ
Ｓ５                ：第１水質センサ
Ｓ６                ：第２水質センサ
【図１】
2020000993.tif 000003
【図２】
2020000993.tif 000004
【図３】
2020000993.tif 000005
【図４】
2020000993.tif 000006
【図５】
2020000993.tif 000007
【図６】
2020000993.tif 000008
【図７】
2020000993.tif 000009
【図８】
2020000993.tif 000010
【図９】
2020000993.tif 000011